(57)【特許請求の範囲】
【請求項１】
クラブヘッドであって、
クラブヘッドのソール部に取り付けられている１つ以上の取り外し可能なウェイトと、
１つ以上の取り外し可能なウェイトの少なくとも１つとクラブヘッドの表面との間に設けられている振動減衰構造体と、を備えており、
第１の１つ以上の取り外し可能なウェイトがクラブヘッドのヒール部に取り付けられており、第２の１つ以上の取り外し可能なウェイトがクラブヘッドのトウ部に取り付けられており、
１つ以上の取り外し可能なウェイトは、三角形状であり、
三角形状は、略９０°の角度を形成する第１側部と第２側部を有しており、
第１側部がクラブヘッドの側部に隣接して配置されており、
第２側部がクラブヘッドの後部に対向して配置されているクラブヘッド。
【請求項２】
第１の１つ以上の取り外し可能なウェイトと第２の１つ以上の取り外し可能なウェイトが略同一の体積を有する請求項１に記載のクラブヘッド。
【請求項３】
第１の１つ以上の取り外し可能なウェイトと第２の１つ以上の取り外し可能なウェイトのそれぞれが、分離された溝に設けられている請求項１又は２に記載のクラブヘッド。
【請求項４】
溝のそれぞれは、取り外し可能なウェイトを１個だけ収容可能に構成されている請求項３に記載のクラブヘッド。
【請求項５】
振動減衰構造体が非金属である請求項１〜４のいずれか一項に記載のクラブヘッド。
【請求項６】
１つ以上の取り外し可能なウェイトはウェイト高さを有しており、
クラブヘッドはクラブヘッド高さを有しており、
ウェイト高さはクラブヘッド高さの半分よりも小さい請求項１〜５のいずれか一項に記載のクラブヘッド。
【請求項７】
１つ以上の取り外し可能なウェイトの少なくとも１つは、ネジ又は磁力の少なくも一方を介して固定されており、
振動減衰構造体は、ウレタン、ゴム、発砲体、プラスチック又はエラストマーの少なくとも１つを備えている請求項１〜６のいずれか一項に記載のクラブヘッド。
【請求項８】
１つ以上の取り外し可能なウェイトは、異なる比重のウェイトを有する取り外し可能なウェイトのグループから選択される請求項１〜７のいずれか一項に記載のクラブヘッド。
【請求項９】
クラブヘッドの中央部に取り付けられている第３の１つ以上の取り外し可能なウェイトをさらに備えている請求項１〜８のいずれか一項に記載のクラブヘッド。
【請求項１０】
クラブヘッドがゴルフパターヘッドである請求項１〜９のいずれか一項に記載のクラブヘッド。
【請求項１１】
ゴルフパターヘッドを製造する方法であって、
（ａ）１つ以上の取り外し可能なウェイトを収容可能なソール部を備えるゴルフパターヘッドを形成する工程と、
（ｂ）１つ以上の取り外し可能なウェイトをソール部に取り付ける工程であって、振動減衰構造体が１つ以上の取り外し可能なウェイトの少なくとも１つとゴルフパターヘッドの表面との間に配置して１つ以上の取り外し可能なウェイトをソール部に取り付ける工程と、を備えており、
第１の１つ以上の取り外し可能なウェイトがクラブヘッドのヒール部に取り付け可能に構成されており、第２の１つ以上の取り外し可能なウェイトがクラブヘッドのトウ部に取り付け可能に構成されており、
１つ以上の取り外し可能なウェイトは、三角形状であり、
三角形状は、略９０°の角度を形成する第１側部と第２側部を有しており、
第１側部がクラブヘッドの側部に隣接して配置され、
第２側部がクラブヘッドの後部に対向して配置される方法。
【請求項１２】
第１の１つ以上の取り外し可能なウェイトと第２の１つ以上の取り外し可能なウェイトが略同一の体積を有する請求項１１に記載の方法。
【請求項１３】
第１の１つ以上の取り外し可能なウェイトと第２の１つ以上の取り外し可能なウェイトのそれぞれが、分離された溝に設けられている請求項１１又は１２に記載の方法。
【請求項１４】
溝のそれぞれは、取り外し可能なウェイトを１個だけ収容可能に構成されている請求項１３に記載の方法。
【請求項１５】
振動減衰構造体が非金属である請求項１１〜１４のいずれか一項に記載の方法。
【請求項１６】
１つ以上の取り外し可能なウェイトはウェイト高さを有しており、
クラブヘッドはクラブヘッド高さを有しており、
ウェイト高さはクラブヘッド高さの半分よりも小さい請求項１１〜１５のいずれか一項に記載の方法。
【請求項１７】
１つ以上の取り外し可能なウェイトは、異なる比重のウェイトを有する取り外し可能なウェイトのグループから選択される請求項１１〜１６のいずれか一項に記載の方法。
【発明の詳細な説明】
【技術分野】
【０００１】
本出願は、２００８年４月１０日に出願された米国特許出願番号１２／１０１，１０１に基づく優先権を主張する。
【０００２】
本開示は広くゴルフ道具に関する。本開示は特に、ゴルフパターヘッド、ゴルフパターヘッドの製造方法、及びそれらに関連して用いられる取り外し可能なウェイトに関する。
【背景技術】
【０００３】
パターヘッドを含むゴルフクラブヘッドの慣性モーメント（ＭＯＩ）は、ゴルフクラブヘッド内の重量の総量及び分布によって影響を受ける。ゴルフクラブヘッドのＭＯＩの増加がゴルフクラブヘッドの中心を外したヒッティングによる不要な捻りに対する抵抗を増加させ得るという点において、ゴルフクラブヘッドの使用者のパフォーマンスはＭＯＩの影響を受ける。この結果、ゴルフクラブヘッドのＭＯＩの増加は、中心を外したヒッティングによる影響をより低減することができる。したがって、個別の使用者が望む態様及び程度に応じて、ゴルフクラブヘッドのＭＯＩを増加させたいという要望が存在する。
【発明の概要】
【発明が解決しようとする課題】
【０００４】
本願に開示される技術の１つの目的は、ＭＯＩが調整されたゴルフクラブヘッド及びその製造方法を提供することである。また、本願に開示される他の１つの目的は、ゴルフクラブヘッドのＭＯＩを調整するために好適に用いられる取り外し可能なウェイトを提供することである。
【課題を解決するための手段】
【０００５】
本願に開示されるクラブヘッドは、クラブヘッドのソール部に取り付けられる１つ以上の取り外し可能なウェイトを備えている。また、クラブヘッドは、それらのウェイトの少なくとも１つとクラブヘッドの表面との間に設けられている振動減衰構造体をさらに備えていてもよい。
【図面の簡単な説明】
【０００６】
【図１】図１は、本願に開示される装置及び物品に基づくゴルフクラブヘッドの一例の底面図である。
【図２】図２は、本願に開示される装置及び物品に基づく取り外し可能なウェイトのセットの一例の正面図を示す。
【図３】図３は、本願に開示される取り外し可能なウェイトのセットの一例を備えるゴルフクラブヘッドの一例の背面図を示す。
【図４】図４は、図３のゴルフクラブヘッドの一例の背面からの断面図を示す。
【図５】図５は、図３のゴルフクラブヘッドの一例の側面図を示す。
【図６】図６は、図３のゴルフクラブヘッドの一例の側面からの断面図を示す。
【図７】図７は、本願に開示される取り外し可能な磁石ウェイトのセットの一例を備えるゴルフクラブヘッドの一例の背面からの断面図を示す。
【図８】図８は、図７のゴルフクラブヘッドの一例の側面からの断面図を示す。
【図９】図９は、本願に開示されるゴルフパターヘッドを製造する方法の非限定的な一例を概説するフロー図を示す。
【図１０】図１０は、異なる配置及び位置でゴルフパターヘッドのソール部に設けられており、本願で開示される取り外し可能なウェイトを示す図である。
【発明を実施するための形態】
【０００７】
概して、ゴルフクラブヘッドに関わる方法、装置、及び製造物が以下に開示される。本願に開示される方法、装置、及び製造物は、以下に開示される態様に限定されるものではない。
【０００８】
図１〜８の例では、ゴルフパターヘッド１００は、ソール部１０５と、ゴルフボール（図示せず）をインパクトするために用いられるフェース部１１０と、バック部１１５と、２つのサイド部１２０を備えていてもよい。フェース部１１０はストライクフェースとも称される。ゴルフパターヘッド１００はさらに、トウ部１２５とヒール部１３０を備えていてもよい。ゴルフパターヘッド１００はさらに、シャフト（図示せず）の一端を受け入れるためのホーゼル部１３５を備えていてもよい。一例では、ゴルフパターヘッド１００は、鋳造、鍛造、それらの組合せ、又は他の適切な製造プロセスによって、スチール又はスチールを基材とする材料から製造されてもよい。
【０００９】
図１及び図２に示すように、例えば、ゴルフパターヘッド１００は、複数の取り外し可能なウェイト１４０を備えていてもよい。取り外し可能なウェイト１４０は、それを収容する少なくとも１つの溝内に配置されてもよい。例えば、ゴルフパターヘッド１００は、トウ部１２５ならびにヒール部１３０に１つ又は複数の取り外し可能なウェイト１４０を備えていてもよい。複数のウェイト１４０のそれぞれは、必要に応じて、ゴルフパターヘッドに形成されている同一の溝又は個別独立した溝内に設けられてもよい。ゴルフパターヘッド１００のトウ部１２５とヒール部１３０に取り外し可能なウェイト１４０の１つ以上を配置することによって、ゴルフパターヘッド１００のＭＯＩを増加させ、又は取り外し可能なウェイト１４０が設けられていないゴルフパターヘッド１００のＭＯＩから変化させることができる。
【００１０】
１つの実施形態では、ゴルフパターヘッド１００はさらに、ゴルフパターヘッド１００の中央部１９０近傍に設けられている第３の取り外し可能なウェイト１９１を備えていてもよい。ゴルフパターヘッド１００の中央部１９０近傍に設けられている第３の取り外し可能なウェイト１９１は、ゴルフパターヘッド１００の全重量及びゴルフパターヘッド１００のモーメントを増加させるために、必要に応じて使用者によって用いられてもよい。
【００１１】
図３〜６に示すように、振動減衰構造体１４５は、取り外し可能なウェイト１４０とゴルフパターヘッド１００の間に設けられてもよい。振動減衰構造体１４５は、ウレタン、ゴム、発砲体、プラスチック、エラストマー又はそれらの組合せのような、不要なノイズ及び振動を減少させることが可能なあらゆる材料で構成することができる。このような不要なノイズ及び振動は、金属と金属の接触（例えば、取り外し可能な１つのウェイト１４０とゴルフパターヘッド１００の本体との接触）によって引き起こされる。よって、振動減衰構造体は、取り外し可能ウェイト１９１とゴルフパターヘッド１００の間に設けられてもよい。
【００１２】
取り外し可能なウェイト１４０は、ゴルフパターヘッド１００のソール部１０５（図１参照）及び／又はバック部１１５に設けられてもよい。また、取り外し可能なウェイト１４０は、あらゆる適切な方法によって、ゴルフパターヘッドにリバーシブルに固定されてもよい。例えば、ネジ１５０（図１及び図３〜６）を利用してソール部１０５に取り外し可能なウェイト１４０をリバーシブルに固定させることによって、取り外し可能なウェイト１４０がソール部１０５に設けられていてもよい。ネジ１５０は、取り外し可能なウェイト１４０に配置された穴１５５（図２）を通して設けられている。このような実施形態によると、ネジ１５０は、ゴルフパターヘッド１００の本体に配置されたネジ穴１６０に螺合してもよい。ネジ穴１６０は、例えば、ゴルフパターヘッド１００のソール部１０５に設けられていてもよい。図６に示されるように、例えば、ゴルフパターヘッド１００は、本実施例に開示される取り外し可能なウェイト１４０を受け入れることが可能な１つ以上の溝１７５を備えていてもよい。さらに、振動減衰体１４５は、取り外し可能なウェイト１４０とそのような溝１７５の内側面との間に設けられていてもよい。ここで、「リバーシブルに固定」という用語は、トウ部１２５側の溝１７５に用いられた取り外し可能なウェイト１４０がヒール部１３０側の溝１７５にも同様に用いることができることをいう。さらに、「リバーシブルに固定」という用語は、取り外し可能なウェイト１４０を溝１７５に適用してもよいし、溝１７５から取り外してもよいことを意味する。しかしながら、本願で開示される構造は、上記構造に限られないことに留意されたい。トウ部１２５側とヒール部１３０側（必要に応じて中央部１９０）において、取り外し可能なウェイトのサイズ、形及び配置を変更することも可能である。
【００１３】
図７及び図８に示すように、取り外し可能なウェイト１４０は、磁力を用いてゴルフパターヘッド１００に固定されてもよい。例えば、取り外し可能なウェイト１４０は、ゴルフパターヘッド１００（例えば、ソール部１０５）に形成された溝１７５内に設けられていてもよい。磁石１８５は、溝１７５内に固定及び配置されてもよい。本願で開示される他の実施形態と同様に、振動減衰構造体１４５の層が取り外し可能なウェイト１４０と溝１７５の内側面との間に設けられていてもよい。ゴルフパターヘッド１００はさらに、開放ポケット１８０を備えていてもよい。開放ポケット１８０は、取り外し可能なウェイト１４０を溝１７５から持ち上げて取り外し可能なウェイト１４０を保持する磁力を取り除くために用いられてもよい。このような実施形態によると、取り外し可能なウェイト１４０は、少なくとも部分的に又は全体的に、磁気的に磁石１８５に引き付けられる材料で構成されていてもよい。
【００１４】
取り外し可能なウェイト１４０は、正方形、長円形、楕円形、円形、四角形又は他の形状のような、あらゆる適切な形及び構造を有していてもよい。円形の取り外し可能なウェイト１４０の場合、外周面にネジ山を形成することができる。これにより、円形の取り外し可能なウェイト１４０は、ゴルフパターヘッドに形成されているとともに対応したネジ山を有する少なくとも１つの溝に螺着されて設けられてもよい。例えば、正方形、長円形、楕円形、四角形又はその他の形態の取り外し可能なウェイト１４０を利用する場合、ウェイトとは別の、螺刻された円筒状の突出部を裏面側に備えていてもよい。この突出部は、ゴルフパターヘッドに形成されている対応した溝に螺着され得る。これに代えて、図５及び６に示されるように、取り外し可能なウェイト１４０は、ウェイトとは別のネジ１５０を利用して、ゴルフパターヘッドに対してリバーシルブルに固定されてもよい。
【００１５】
図２に示すように、１つの実施形態では、取り外し可能なウェイト１４０は、外見が直角三角形に類似した構造の三角形状を有していてもよい。図１を参照すると、これらの実施形態では、三角形状の取り外し可能なウェイト１４０は、例えば、ゴルフパターヘッド１００のソール部１０５に設けられている。三角形状の取り外し可能なウェイト１４０の隣辺がゴルフクラブヘッド１００のバック側の壁１６５及び側壁１７０に略平行であるとともに、斜辺がゴルフクラブヘッド１００のフェース部１１０に対向していてもよい。このような実施形態によると、取り外し可能なウェイト１４０によって提供される重量の大部分は、バック部１５及びサイド部１２０側に配置され、ゴルフクラブヘッド１００のＭＯＩを増加させることができる。
【００１６】
換言すると、図１０に示されるように、直角三角形の形態（即ち、略９０°の角度を有する部分を備える三角形）を有する取り外し可能なウェイト１４０は、ゴルフパターヘッドのバック部とサイド部に配置される（図１０（Ａ）参照）。換言すると、三角形を有する取り外し可能なウェイト１４０は、略９０°の角度を有する部分を備えていてもよく、その略９０°の角度を有する部分がソールのサイド部１２０に配置されているとともにクラブヘッドのストライクフェースから離れて配置されている（図１０（Ａ）参照）。この配置は、取り外し可能なウェイト１４０のより多くの重量をゴルフパターヘッドのバック部１１５側（及びサイド部１２０側）に配置する。この配置は、図１０（Ｂ）〜（Ｄ）で示される他の配置の取り外し可能なウェイト１４０を備えるゴルフパターヘッドと比較して、より大きなＭＯＩを提供することができる。
さらに、図１で示されるように、第３の取り外し可能なウェイト１９１は、ソール部の両端に配置されている取り外し可能なウェイト１４０と同一又は相似の三角形状を備えるとともに、それらとは異なる向きで配置されていてもよい。第３の取り外し可能なウェイト１９１は、好ましくは、フェース部１１０のストライク表面に平行で且つ対向する斜辺を有している。このような実施形態によると、取り外し可能なウェイト１９１を構成する材料の密度に基づいて、取り外し可能なウェイト１９１はゴルフパターヘッドの慣性モーメントを増加（又は減少）させることができる。さらに、取り外し可能なウェイト１９１を構成する材料の密度に基づいて、取り外し可能なウェイト１９１の存在（非存在）がゴルフパターヘッドの全重量を増加（又は減少）させることができる。さらに、直角三角形の第３の取り外し可能なウェイト１９１を利用すると、一方の隣辺がトウ部１２５の取り外し可能なウェイト１４０の斜辺に平行であるとともに対向し、他方の隣辺がヒール部１３０の取り外し可能なウェイト１４０の斜辺に平行であるとともに対向する。このようなウェイト間の平行関係は、ゴルフパターヘッドの慣性及び全重量を対称にする。本実施形態によると、第３の取り外し可能なウェイト１９１は、両端の取り外し可能なウェイト１４０よりも僅かに大きくしてもよい。
【００１７】
複数の取り外し可能なウェイト１４０は、例えば２個，３個，４個，５個，６個，７個，８個又はそれ以上の取り外し可能なウェイト１４０のグループから選択されてもよい。さらに、複数の取り外し可能なウェイト１４０は、例えば２個，３個，４個又はそれ以上の取り外し可能なウェイト１４０の組合せの複合から選択されてもよい。取り外し可能なウェイト１４０は、異なる比重を有するように製造されてもよい。これにより、使用者は、ゴルフパターヘッド１００に取り付けるのに望ましい比重を示す取り外し可能なウェイト１４０を選択することができる。
【００１８】
複数の取り外し可能なウェイト１４０は、略同一の体積を有していてもよい。さらに、複数の取り外し可能なウェイト１４０は、略同一の体積と略同一の幾何学的形態を有していてもよい。より具体的には、そのような実施形態によると、取り外し可能なウェイト１４０のそれぞれは、略同一の体積と略同一の幾何学的形態を有しながら、固有の比重を有していてもよい。取り外し可能なウェイト１４０を製造するために異なる材料又は材料の組合せを用いることにより、取り外し可能なウェイト１４０は、略同一の体積と略同一の幾何学的形態を有しながら、固有の比重を有することができる。
【００１９】
本実施例で開示されるゴルフパターヘッド１００に関連して用いられる取り外し可能なウェイト１４０のそれぞれ、又は取り外し可能なウェイト１４０の組合せに対して、あらゆる様々な方法及び構造によって異なる比重を提供することができる。例えば、取り外し可能なウェイト１４０は、適切な材料とともに用いられるタングステン粒子の量を変更することによって製造されてもよい。適切な材料は、例えば、タングステン以外の金属、ポリマー、プラスチック、エラストマー又はそれらの組合せである。そのような実施形態によると、本実施例で開示される複数の取り外し可能なウェイト１４０は略同一の体積を有するように設計されるので、特定の取り外し可能なウェイト１４０を製造するために用いられるタングステン粒子の量が増加すれば取り外し可能なウェイト１４０の比重を増加させることができる。逆に、特定の取り外し可能なウェイト１４０を製造するために用いられるタングステン粒子の量が減少すれば取り外し可能なウェイト１４０の比重を減少させることができる。このように、比重の幅が広い取り外し可能なウェイトのグループを提供するために、複数の取り外し可能なウェイト１４０は、タングステン粒子の量を変えることで製造されてもよい。
【００２０】
以上において開示されるゴルフパターヘッドに加えて、以下の実施例では、更に別形態のゴルフパターが提供される。より具体的には、ゴルフパターは、以下で開示されるゴルフパターヘッドを備えている。ゴルフパターヘッドは、ゴルフクラブシャフトとグリップを備えている。ゴルフパターヘッド１００を用いてゴルフパターを形成するために、ホーゼル１３５はシャフトの第１端（図示せず）を受け入れてもよい。シャフトとホーゼル１３５は、接着プロセス（例えば、エポキシ）及び／又は他の適切な固定プロセス（例えば、機械的な固定、はんだ、溶接、及び／又はろう付け）によって互いに固定されてもよい。ゴルフパターを完成させるために、グリップ（図示せず）はシャフトの第２端を受け入れてもよい。シャフトとグリップは、接着プロセス及び／又は他の適切な固定プロセスによって互いに固定されてもよい。本実施例の方法、装置及び製造物は、上記のものに限定されるものではない。鋳造プロセスを用いて本実施例に開示されるゴルフパターヘッド１００を製造することによって、ゴルフパターヘッド１００の形及びサイズの変更を容易にすることができ、さらに、本実施例に開示される取り外し可能なウェイト１４０を収容するための溝１７５を容易に形成することができる。
【００２１】
追加の実施形態によると、本実施例に開示されるゴルフパターヘッドに用いられる取り外し可能なウェイトのセットが提供される。セットは、ゴルフパターヘッドにリバーシブルに固定可能な複数の取り外し可能なウェイトを備えている。ここに開示されるように、セットは、異なる比重を有する少なくとも２つのウェイトを備えていてもよい。より具体的には、１つの実施形態では、取り外し可能なウェイトのセットは、１個，２個，３個，４個，５個又はそれ以上の数で１つの組を構成する取り外し可能なウェイトの組合せを含んでいてもよい。各組合せは、異なる比重を有していてもよい。このような実施形態によると、使用者は、ゴルフパターヘッドに適用するウェイトの比重に基づいて、取り外し可能なウェイトの所望の組合せ又は複合を選択することができる。取り外し可能なウェイトのセットを用いることで、使用者は、所望の重量をゴルフパターヘッドのヒール部、トウ部及び／又は中央部に加えることができ、これにより、パターの全重量、ＭＯＩ、ウェイト配分又はそれらの組合せに影響を及ぼすことを可能にする。
【００２２】
本実施例で開示される他の実施形態によると、任意のウェイトのセットに含まれるウェイトは、略同一の体積を有している。このため、他の取り外し可能なウェイトとは比重が異なる一方で、ウェイトは外見上同一に見えるとともに、ゴルフパターヘッドの同じような直径の溝にそれぞれ嵌合する。さらに、取り外し可能なウェイトのセットは、取り外し可能なウェイトとゴルフパターヘッドの間に配置可能な振動減衰構造体を備えていてもよい。そのような振動減衰構造体の非限定的な一例は、ウレタン、ゴム、発砲体、プラスチック、エラストマー及びそれらの組合せを含む。例えば、振動減衰構造体は、使用者によってゴルフパターヘッドの溝内に取り付けられる振動減衰材料の層で構成されていてもよい。これにより、次に取り外し可能なウェイトが溝内に設けられると、振動減衰材料がゴルフパターヘッドの本体と取り外し可能なウェイトの間に介在する。より具体的には、例えば、図３及び図６に示されるように、振動減衰体１４５がワッシャーとして構成されてもよい。ワッシャーは、中心部に穴を有しており（図示せず）、取り外し可能なウェイトと振動減衰構造体１４５をゴルフパターヘッド１００の溝１７５に対して固定するためにネジ１５０がその穴を介して挿入されてもよい。さらに、振動減衰構造体１４５は、取り外し可能なウェイトの表面に固定されてもよい。この場合、取り外し可能なウェイトがゴルフパターヘッドの表面に接触する。振動減衰構造体１４５は、例えば接着又は他の化学的又は機械的な固定方法を利用して、取り外し可能なウェイトの表面に固定されてもよい。
【００２３】
他の実施形態に関連して上記したように、取り外し可能なウェイトは、ゴルフパターヘッドにリバーシブルに固定するのに適したあらゆるサイズ、形、又は構造体を有し得るウェイトのセットを含んでいる。１つの実施形態では、取り外し可能なウェイトは、三角状の構造体であり、ゴルフパターヘッドのソール部１０５にリバーシブルに固定可能である。ゴルフパターヘッドがネジ穴、溝、凹部及び／又は取り外し可能なウェイトを固定的に収容可能な他の手段又は寸法を備えていれば、ウェイトのセットに含まれる取り外し可能なウェイトは、例えば、ネジ、Velcro（登録商標）材料、又は他の機械的な固定手段を利用してゴルフパターヘッドに固定可能としてもよい。さらなる実施形態では、ウェイトのセットに含まれる取り外し可能なウェイトは、磁力を介してゴルフパターヘッドに固定可能であってもよい。例えば、ゴルフパターヘッドの取り外し可能なウェイトは磁石を備えていてもよい。さらに、取り外し可能なウェイト又はゴルフパターヘッド（構造物が磁石を有していない場合でも）は、１７−４ステンレス鋼のような磁石に引き付けられる材料を少なくとも部分的に備えている。例えば、ゴルフパターヘッドは、少なくとも部分的に１７−４ステンレス鋼で構成された取り外し可能なウェイトとともに、磁石を備えていてもよい。
【００２４】
取り外し可能なウェイトは、取り外し可能なウェイトの体積を略一定に保ちながら、比重の幅を有するウェイトのセットを構成するために、あらゆる材料及びその組合せを用いて製造されてもよい。例えば、ウェイトの第１の組合せは、略７．７の比重のステンレス鋼で構成されてもよい。ウェイトの第２の組合せは、最終的な比重が略１２．４であるタングステンの粒子とステンレス鋼の組み合わせで構成されてもよい。ウェイトの第３の組合せは、第３の組合せの各ウェイトが第２の組合せのウェイトよりもタングステン粒子を多く含むように、タングステンの粒子とステンレス鋼の組み合わせで構成されていてもよい。これにより、第３の組合せの最終的な比重が１７となる。取り外し可能なウェイトは、あらゆる材料又はそれらの組合せで構成されていてもよく、これにより、比重を所望の値に調整することが可能である。他の材料の非限定的な例示としては、黄銅、タングステン粒子を特定の量含む射出成形されたウレタン部、及び類似した構造体を含んでいてもよい。
【００２５】
このような実施形態によると、使用者は、ゴルフパターヘッドに適用されるウェイトの所望の組合せを選択することができる。さらに、使用者がゴルフパターヘッド１００のヒール部１３０よりもトウ部１２５により多くの又はより少ないウェイトを望む場合、使用者は異なるウェイトの組合せである取り外し可能なウェイトを選択し、ゴルフパターヘッドに適用することができる。
【００２６】
このような実施形態によると、取り外し可能なウェイトのセットは、ゴルフパターヘッドとともに需要者に販売されてもよく、ゴルフパターヘッドとは別で需要者に販売されてもよい。また、取り外し可能なウェイトのセットに含まれる異なる取り外し可能なウェイトの組み合わせは需要者によって選択される。例えば、ウェブサイトを介して、需要者が特定のゴルフパターヘッドに用いるために購入を望む１個，２個，３個，４個又はそれ以上の取り外し可能なウェイトの組合せ（又は、単品の取り外し可能なウェイト）を需要者が指定してもよい。取り外し可能なウェイトのセットはさらに、取り外し可能なウェイトをゴルフパターヘッドにリバーシブルに固定するために用いられる固定手段を備えていてもよい。固定手段としては、取り外し可能なウェイトを固定するために、例えば、ネジ１５０をゴルフパターヘッドに固定及び締結するためのレンチが挙げられる。
【００２７】
さらなる実施形態によれば、ゴルフパターヘッドを製造するための方法が提供される。これらの実施形態によると、ゴルフパターヘッドは、例えば、金属鋳造方法、鍛造方法又はそれらの組合せを利用して形成される。ゴルフパターヘッドは本実施例に開示される取り外し可能なウェイト１４０を収容可能な領域を有するように形成される。ゴルフパターヘッドは、ソール部に位置する１つ以上の溝１７５のように、ゴルフパターヘッドのバック側又はソールに位置する分離された１つ以上の前記領域を備えていてもよい。より具体的には、分離領域は、ゴルフパターヘッドのヒール部、中央部、トウ部、又はヒール部と中央部とトウ部の間の部分に位置することができる。また、分離領域は、ゴルフパターヘッドのソール及び／又はバック側のいずれかに位置することができる。図１，５及び６に示されるように、例えば、ゴルフパターヘッドは、取り外し可能なウェイト１４０とネジ１５０を収容する溝１７５のように、ゴルフパターヘッド１００の各々のサイド部１２０に位置する領域を備えていてもよい。
【００２８】
次に、１つ以上の取り外し可能なウェイト部材１４０がゴルフパターヘッドに取り付けられる。取付プロセスは、ネジ（例えば、図５に示されるネジ１５０）の使用、磁力（図７及び図８を参照）又は他の方法によって実施される。これらの方法によってゴルフパターヘッドに取り付けられる取り外し可能なウェイト１４０は、取り外し可能なウェイト１４０のセットから選択されてもよい。取り外し可能なウェイト１４０のセットは、異なる比重を有する個別の取り外し可能なウェイトを複数個備えている。本実施例に開示される他の実施形態も同様に、取り外し可能なウェイト部材のセットに含まれる取り外し可能なウェイト部材１４０の各々は、略同一の体積を有する。加えて、取り外し可能なウェイト部材１４０は取り外し可能なウェイト部材のセットから適宜選択され、ゴルフパターヘッドに取り付けられてもよい。
【００２９】
ゴルフクラブヘッドの製造方法は、シャフトをホーゼル１３５に取り付ける工程をさらに備えていてもよい。シャフトとホーゼル１３５は、接着プロセス（例えば、エポキシ）及び／又は他の適切な固着プロセス（例えば、機械的な固定、はんだ、溶接、及び／又はろう付け）によってお互いに固定されてもよい。ゴルフクラブヘッドを完成するために、グリップ（図示せず）がシャフトの第２の端部を受け入れてもよい。シャフトとグリップは接着プロセス及び／又は他の適切な固着プロセスによってお互いに固定されてもよい。方法、装置及び製造物は、上記の点に限定されるものではない。
【００３０】
図９を参照すると、１つの追加実施形態では、ゴルフパターヘッドを製造する方法はさらに、購入者１９５からの購入オーダーを受け取る工程を備えている。この工程では、購入者がゴルフパターヘッドに加えたい重量の総量、及びそのような重量を加えたい位置が特定される。購入オーダーは、オンラインの記入フォーム、ファクシミリ、従来型の手紙、電話、又は他の伝達手段によってゴルフパターの製造業者に直接又は間接的に届けられる。次に、ゴルフパターヘッドが製造される２００。当然のことながら、ゴルフパターヘッドは、購入者１９５の購入オーダーよりも先に又は購入オーダーの後に製造されてもよい。ゴルフパターヘッドは、本実施例に開示されるゴルフパターヘッド１００のサイド部１２０に位置する溝１７５のように、追加のウェイト部材を収容可能な領域を備えていてもよい。次に、１つ以上のウェイト部材がゴルフパターヘッドの望ましい領域２０５に取り付けられる。１つ以上のウェイト部材は、受領した購入オーダー１９５に応じて、購入者がゴルフパターヘッドに加えたい重量と略同一のウェイトを有してもよい。
【００３１】
図１及び図３〜図８は、アンサーゴルフパターヘッド（ＰＩＮＧ株式会社、フェニックス、アリゾナ州）を示しているが、ここに開示される方法、装置及び製造物は他の種類のゴルフパターヘッドに適用可能である。例えば、ここに開示される方法、装置及び製造物は、マレットパター、ブレードパター、及び他の種類のパターに適用可能である。本実施例に開示される方法、装置及び製造物は、上記記載の内容に限定されるものではない。
【００３２】
以上、特定の方法、装置及び製造物の例が開示されているがも、本願で開示される発明の保護範囲はそれらに限定されるものではない。一方、本開示は、文言上又は均等の原則のいずれかにおいて添付の請求項の範囲に公正に含まれる全ての方法、装置及び製造物を保護する。 
【図１】
0005286139.tif 000002
【図２】
0005286139.tif 000003
【図３】
0005286139.tif 000004
【図４】
0005286139.tif 000005
【図５】
0005286139.tif 000006
【図６】
0005286139.tif 000007
【図７】
0005286139.tif 000008
【図８】
0005286139.tif 000009
【図９】
0005286139.tif 000010
【図１０】
0005286139.tif 000011